(57)【特許請求の範囲】
【請求項１】
第１横架材の側面部に第２横架材が側方から直角に接続された木造建築物の接続構造において、
上記第１横架材の側面部に短尺の連結部材の一端が固定され、該連結部材の他端に上記第２横架材が固定されてなり、
上記第１横架材と上記連結部材とが一対の羽子板ボルトで結合され、且つ上記連結部材と上記第２横架材とが両端近傍にボルト孔を有する一対の短冊形状の短冊金物で結合されており、
上記羽子板ボルトの板状部及び上記短冊金物の上記連結部材側に配される一端部が、上記板状部及び上記一端部にそれぞれ形成されたボルト孔を重ね合わされ且つ該ボルト孔にボルトを挿通されて上記連結部材に固定されていることを特徴とする接続構造。
【請求項２】
上記第１横架材に上記連結部材用の梁受け金具が取り付けられ、上記梁受け金具の下端水平面部に上記連結部材の一端が載置されると共に上記羽子板ボルトにより上記連結部材と上記第１横架材とが緊結固定されてなり、上記梁受け金具は、第１横架材の上端面に掛止される一対の掛止部と、該掛止部から延設され、上記羽子板ボルトの軸部挿通用の挿通孔が形成された一対の当接立面部と、該当接立面部の下端部間を連絡して上記下端水平面部を形成する連絡部とを有し、
一対の上記羽子板ボルトのそれぞれは、その板状部を上記連結部材の両側面に固定され、その軸部を上記梁受け金具の挿通孔及び第１横架材に形成された挿通孔に挿入され、軸部先端にナットを螺合されて上記連結部材を緊結固定していることを特徴とする請求項１に記載の接続構造。
【請求項３】
上記連結部材の長さが１２０〜９６０ｍｍである請求項１又は２に記載の接続構造。
【発明の詳細な説明】
【０００１】
【発明の属する技術分野】
本発明は、木造建築物の接続構造に関し、詳しくは、第１の横架材に対し第２の横架材を側方から直角に接続した接続構造に関する。
【０００２】
【従来の技術と発明が解決しようとする課題】
従来、木造軸組構法における継手・仕口において、桁を受けるためには一般的に図５（ａ）に示すように仕口で受けるか図５（ｂ）に示すように梁を持ち出して継ぎ手で受けることが必要である。
しかし、梁の長さを統一化する上で、従来の仕口にすると仕口加工分を長くとる必要があり、継ぎ手にすると梁を持ち出す必要が生じ架構が複雑になる等の不都合があった。その結果、柱等の横架材の材長を規格化して材の統一化を行うことが困難であった。
従って、本発明の目的は、柱等の横架材の材長を規格化して材の統一化を実現することのできる木造建築物の接続構造を提供することにある。
【０００３】
【課題を解決するための手段】
請求項１に記載の発明は、第１横架材の側面部に第２横架材が側方から直角に接続された木造建築物の接続構造において、上記第１横架材の側面部に短尺の連結部材の一端が固定され、該連結部材の他端に上記第２横架材が固定されてなり、上記第１横架材と上記連結部材とが一対の羽子板ボルトで結合され、且つ上記連結部材と上記第２横架材とが両端近傍にボルト孔を有する一対の短冊形状の短冊金物で結合されており、上記羽子板ボルトの板状部及び上記短冊金物の上記連結部材側に配される一端部が、上記板状部及び上記一端部にそれぞれ形成されたボルト孔を重ね合わされ且つ該ボルト孔にボルトを挿通されて上記連結部材に固定されていることを特徴とする接続構造を提供することにより、上記目的を達成したものである。
【０００５】
請求項２に記載の発明は、上記第１横架材に上記連結部材用の梁受け金具が取り付けられ、上記梁受け金具の下端水平面部に上記連結部材の一端が載置されると共に上記羽子板ボルトにより上記連結部材と上記第１横架材とが緊結固定されてなり、上記梁受け金具は、第１横架材の上端面に掛止される一対の掛止部と、該掛止部から延設され、上記羽子板ボルトの軸部挿通用の挿通孔が形成された一対の当接立面部と、該当接立面部の下端部間を連絡して上記下端水平面部を形成する連絡部とを有し、一対の上記羽子板ボルトのそれぞれは、その板状部を上記連結部材の両側面に固定され、その軸部を上記梁受け金具の挿通孔及び第１横架材に形成された挿通孔に挿入され、軸部先端にナットを螺合されて上記連結部材を緊結固定していることを特徴とする請求項１に記載の接続構造を提供するものである。
【０００６】
請求項３に記載の発明は、請求項１又は２に記載の接続構造において、上記連結部材の長さが１２０〜９６０ｍｍである接続構造を提供するものである。
【０００７】
【発明の実施の形態】
以下、本発明の接続構造の一実施形態について図１〜３を参照して説明する。図１は本実施形態の接続構造を示す斜視図であり、図２は図１に示す接続構造の平面図（ａ）及び側面図（ｂ）であり、図３は図１の接続構造の施工態様を説明するための斜視図である。
【０００８】
本実施形態の接続構造は、図１に示されるように、第１横架材１の側面部に第２横架材２が側方から直角に接続された木造建築物の接続構造であり、上記第１横架材１の側面部に短尺の連結部材３の一端が固定され、該連結部材３の他端に上記第２横架材２が固定されてなる。
【０００９】
上記第１横架材１と上記連結部材３とは、図２（ａ）に示されるように、一対の羽子板ボルト４，４で結合され、上記連結部材３と上記第２横架材２とは、両端近傍にボルト孔を有する一対の短冊形状の短冊金物５，５で結合されている。そして、上記羽子板ボルト４の板状部４ａ及び上記短冊金物５の連結部材３側に配される一端部５ａは、上記板状部４ａ及び上記一端部５ａにそれぞれ形成されたボルト孔４０，５０を重ね合わされ且つ該ボルト孔４０，５０にボルト６を挿通されて上記連結部材３に固定されている。
【００１０】
上記第１横架材１と上記連結部材３との結合は、図３（ｂ）に示されるように、上記第１横架材１に上記連結部材２用の梁受け金具７が取り付けられ、次いで図３（ａ）に示されるように、該梁受け金具７の下端水平面部７ａに上記連結部材３の一端が載置されると共に上記羽子板ボルト４，４により上記連結部材３と上記第１横架材とが緊結されてなされている。
上記梁受け金具７は、図３（ａ）に示されるように、第１横架材１の上端面１ａに掛止される一対の掛止部７ｂ，７ｂと、該掛止部７ｂ，７ｂから延設され、上記羽子板ボルト４の軸部４ｂ挿通用の挿通孔７０を有する一対の当接立面部７ｃと、該当接立面部７ｃの下端部間を連絡して上記下端水平面部を形成する連絡部７ａとを有してなり、一対の上記羽子板ボルト４，４のそれぞれは、図３（ａ）に示されるように、上記板状部４ａを上記連結部材３の両側面部に固定され、上記軸部４ｂを上記梁受け金具７の挿通孔７０及び第１横架材１に形成された挿通孔（図示せず）に挿入され、軸部４ｂ先端にナット４１を螺合されて上記連結部材３を緊結固定している。
【００１１】
以下、本実施形態の接続構造について、より詳細に説明する。本実施形態の接続構造は、図１に示されるように、第１横架材１の側面部に短尺の連結部材３の一端が固定され、該連結部材３の他端に上記第２横架材２が固定されてなる。
上記短尺の連結部材３は、第２横架材とほぼ等しい高さ及び幅を有する直方体の形態を有する。そして、本発明における「短尺」とは、連結部材の長さ（上記第１横架材への当接面と上記第２横架材への当接面との間の距離）が短いという意味であり、その短い長さとは通常１２０〜９６０ｍｍであり、好ましくは２００〜５００ｍｍである。
上記連結部材３には、図２（ａ）に示されるように、その側面部間を貫通するボルト装着孔３０が形成されている。上記連結部材３の材質は、合成樹脂や金属等の木材以外の材質であっても良いが、加工の容易等から好ましくは第１横架材及び第２横架材と同様に木材である。上記第１横架材及び第２横架材は、木造建築物における梁、桁等の横架材である。
【００１２】
上記羽子板ボルト４は、ボルト孔４０が形成された板状部４ａと該板状部４ａに連設された軸部４ｂとからなる通常の羽子板ボルトであり、上記短冊金物５は、その両端近傍にボルト孔５０，５１が形成された短冊状の形態を有する。
【００１３】
上記連結部材３は、一対の羽子板ボルト４，４により上記第１横架材１に結合されている。具体的には、上記第１横架材１に上記梁受け金具７を取り付け、上記梁受け金具７の下端水平面部７ａに上記連結部材３の一端を載置すると共に上記羽子板ボルト４により上記第１横架材１に圧接するように緊結して結合されている。
この上記連結部材３の上記羽子板ボルト４による上記第１横架材１の側面部への結合は、例えば以下のようにして行われる。
先ず、図３（ａ）に示されるように、第１の横架材１の連結部材３を接合すべき側面部に連結部材３用の梁受け金具７を取り付ける。この梁受け金具７の取り付けは上記一対の掛止部７ｂを第１横架材１の上端面１ａに掛止させて行う。尚、上記梁受け金具７の一対の上記当接立面部７ｃは、上記掛止部７ｂから延設され、上記羽子板ボルト４の軸部４ｂ挿通用の挿通孔７０が形成された当接面部７ｄ及び該当接面部７ｄから折曲立設された立面部７ｅからなる。また、上記第１横架材１には、上記梁受け金具７を取り付ける前に上記挿通孔７０の位置に合わせて羽子板ボルト４挿通用の貫通孔を予め形成しておく。
【００１４】
次いで、一対の上記羽子板ボルト４，４を、上記一対の当接面部７ｄ，７ｄに形成された一対の挿通孔７０，７０、及び第１横架材１に形成された一対の上記貫通孔に挿通し、該軸部４ｂ先端に第１横架材１の反対側からナット４１を螺合する。
【００１５】
そして、図３（ｂ）に示されるように、第１横架材１の側面部に取り付けられた梁受け金具７の下端水平面部（連絡部）７ａ上に上記連結部材３の一端部を載置し、同時に上記羽子板ボルト４，４の板状部４ａのボルト孔４０と上記短冊金物５，５の一端部のボルト孔５０とを重ねた状態とし、これにボルト６を挿通してナットで締める。これにより、上記連結部材３が上記第１横架材１の側面部に固定される。
【００１６】
上記連結部材３の他端部と上記第２横架材２とは一対の上記短冊金物５，５で結合されている。この結合は図３（ｂ）に示されるように、上記連結部材３の他端に連結補強金具８を取り付け、該連結補強金具８の下端水平面部８ａに上記第２横架材の一端を載置すると共に該連結補強金具８上に跨るように一対の上記短冊金物５，５をボルト６及び９で固定することによりなされている。
上記連結補強金具８は、図３（ｂ）に示されるように、上記連結部材３の上端面に掛止される一対の掛止部８ｂ，８ｂと、該掛止部それぞれから延設され、上記連結部材３の側面部３ａ及び第２横架材２の側面部２ａに当接する一対の当接面部８ｃと、一対の当接面部８ｃの下端同士を連絡し、上記下端水平面部を形成する連絡部８ａとを有してなり、上記連結補強金具８の連結部材３への取り付けは、上記連結部材３上端面に上記掛止部８ｂ，８ｂを掛止させてなされている。尚、上記連結補強金具８の上記当接面部８ｃには、上記連結部材３及び上記第２横架材２に釘等で固定するため孔が形成されており、必要に応じて釘やねじ等により結合状態が補強される。
【００１７】
本実施形態の接続構造を得るための上記第２横架材の上記連結部材３への結合は、上記連結補強金具８の下端水平面部（連絡部）８ａ上に上記第２横架材の一端部を載置し、連結部材３及び第２横架材の両側面部間に跨るように一対の上記短冊金物５，５を添設して行う。そして、上記連結部材３及び第２横架材にそれぞれ挿通された上記ボルト６及びボルト９を固くナットで締め付けるとともに、上記羽子板ボルト４，４により上記連結部材３を第１横架材１に更に強固に緊結する。これにより、上記第１横架材、上記連結部材３及び第２横架材２が強固に緊結され、本実施形態の接続構造が得られる。
【００１８】
本実施形態の接続構造は、上記構成を有してなるので、接続する材の端部に、ほぞ等の加工を必要とせず、熟練工によらずとも容易に施工できる。
また、本実施形態の接続構造においては、上記羽子板ボルト４の板状部４ａと上記短冊金５物の一端５ａとが互いに連結されているので、上記羽子板ボルト４による引っ張り力が短冊金物５を介して第２横架材２にも伝達される。その結果、接合強度に優れた接続構造となる。
また、本実施形態の接続構造によれば、柱等の横架材の材長を規格化して材の統一化を実現することができる。例えば、図４に示すような木造建築物において、第１横架材１の側面部に第２横架材２を側方から直角に接続するに際し、短尺の連結部材３を介在させることにより、第２横架材２と他の横架材２’との材長の統一化を実現することができる。
【００１９】
本発明の接続構造は、上記実施形態により何ら制限されるものではなく本発明の趣旨を逸脱しない範囲で適宜変更可能である。
例えば、上記一対の羽子板ボルト４，４の板状部４ａ及び上記短冊金物５，５の上記連結部材３側に配される一端部は、上記連結部材３を貫通する長尺の一本のボルト６及びナット６０により連結部材３に緊結固定されているが、羽子板ボルト４の一端部及び上記短冊金物５の一端部は、該連結部材３のそれぞれの側面部毎にそれぞれ別のボルトで固定しても良い。
【００２０】
また、上記連結部材３を第１横架材１に固定するための上記羽子板ボルト４や、短冊金物５を上記連結部材３及び第２横架材２に跨らせて固定するためのボルトの数は、所望により適宜の数に設定することができる。
更に、上記梁受け金物７及び上記連結補強金物８のそれぞれは、上記連結部材３及び第２横架材の端部を載置することができる限り上記実施形態の形態とせずに適宜の形態とすることができる。例えば、上記連結補強金物は、上記連結部材に嵌合可能な一端部と上記第２横架材に嵌合可能な他端部とを備えた角筒体とすることもできる。
また、上記実施形態の接続構造においては、第１横架材の上記連結部材３の接続部下方には柱１０が位置しているが、本発明の接続構造は柱１０が位置しない場合であっても良い。
【００２１】
【発明の効果】
本発明の接続構造によれば、施工が容易で、柱等の横架材の材長を規格化して材の統一化を図ることのできる木造建築物の接続構造を提供することができる。
特に、本発明は、工場生産で前もって製造される柱，梁等の横架材、垂直材からなる軸組材を有する住宅ユニットにおいて、現場での各住宅ユニット同士の接続に極めて有効である。
【図面の簡単な説明】
【図１】図１は、本発明の接続構造の一実施形態を示す斜視図である。
【図２】図２は、図１に示す接続構造の平面図（ａ）及び側面図（ｂ）である。
【図３】図３は、図１の接続構造の施工方法を示す斜視図である。
【図４】図４は、図１の接続構造を適用した木造建築物の梁構造を示す平面図である。
【図５】図５は、従来の仕口・継ぎ手を示す斜視図である。
【符号の説明】
１    第１横架材
１ａ    上端面
２    第２横架材
２ａ    側面部
３    連結部材
４    羽子板ボルト
４ａ    板状部
４ｂ    軸部
５    短冊金物
５０    ボルト孔
６    ボルト
７    梁受け金物
８    連結補強金物
９    ボルト
１０    柱
【図１】
0003759278.tif 000002
【図２】
0003759278.tif 000003
【図３】
0003759278.tif 000004
【図４】
0003759278.tif 000005
【図５】
0003759278.tif 000006